(57)【要約】【課題】  眼内挿入用レンズの挿入器具において、押出軸による眼内挿入用レンズの移動工程中における軸ぶれによる挿入器具の内壁面と押出軸間に挟まれる等による眼内挿入用レンズの破損の防止、及び該レンズの射出時の動摩擦抵抗を下げること。  【解決手段】  眼内挿入用レンズの挿入器具において、押出軸１２の先端部１２ａから突出した突出部１２ｂ及び前記レンズ送出部材１９の先端突出部２０の少なくとも一方が、前記レンズの進入移動時における挿入器具の内壁面に近接する位置となるように配置すると共に、前記押出軸１２とレンズ送出部材１９とを連動可能に連結し、前記押出軸１２による眼内挿入用レンズ１０の移動工程中で互いの連動が所定位置で解除されるようにし、ＩＯＬの挿入移動時におけるレンズ光学部への損傷を防止する。【選択図】図２ 
2006006817.tif 000002
【特許請求の範囲】
【請求項１】
眼内挿入用レンズの挿入器具において、眼内挿入用レンズを押し出すための押出軸の先端部近傍を、該押出軸の中間部より幅寸法が大きく、かつ挿入器具の内壁面の内径寸法より小さく形成すると共に、該押出軸の先端部に少なくとも一部を突出させた突出部を形成したことを特徴とする眼内挿入用レンズの挿入器具。
【請求項２】
、眼内挿入用レンズの挿入器具において、眼内挿入用レンズを押し出すための押出軸の先端部近傍に、先端を突出させた少なくとも一部にレンズ光学部を内腔に浮かせた状態で保持する先端突出部を設けたレンズ送出部材を装着させたことを特徴とする眼内挿入用レンズの挿入器具。
【請求項３】
眼内挿入用レンズの挿入器具において、前記押出軸の先端部から突出した突出部及び前記レンズ送出部材の先端突出部の少なくとも一方が、前記レンズの進入移動時における挿入器具の内壁面に近接する位置となるように配置したことを特徴とする請求項1又は請求項２に記載の眼内挿入用レンズの挿入器具。
【請求項４】
眼内挿入用レンズの挿入器具において、前記レンズ送出部材の先端突出部は、先端の少なくとも一部が突出した形状を有し、かつ前記眼内挿入用レンズ挿入器具の押出軸の先端部の外形形状よりも幅寸法が大きく、前記挿入器具の内壁面の内径寸法より小さくしたことを特徴とする請求項２に記載の眼内挿入用レンズの挿入器具。    
【発明の詳細な説明】
【技術分野】
【０００１】
本発明は眼内挿入用レンズの挿入器具に関し、更に詳しくは、挿入器具の先端部から眼内に挿入する際に生じるレンズと挿入器具との間の摩擦を小さくし、レンズ移動時においてレンズに損傷を与えないようにした眼内挿入用レンズの挿入器具に関する。
【背景技術】
【０００２】
眼内レンズの使用は白内障の治療方法として、ほぼ確立されてきている。即ち、白く濁った水晶体を眼内から取り除き、代わりに人工の眼内レンズ「（intraocular Lens）以下ＩＯＬと称す」を挿入するというものである。この治療方法は日帰り手術を行えるほど進歩している。
【０００３】
当初のＩＯＬはポリメチルメタクリレートという硬質のプラスチックなどの硬い材質で形成されたものであるため、眼内への挿入に際しては６mm以上切開創を設けなければならず、切開創が大きくなるため、術後の副作用として乱視などの不具合が起きてしまうなどの問題があった。
【０００４】
近年のこの問題を解決しようと、例えば、特許文献１に示されるような折り畳み可能な、弾性を有する柔軟な材質により形成された眼内挿入用レンズが各種開発されて実用化されている。    
この折り畳み可能なレンズは、眼内に挿入する際に折り畳んだり、丸めるなどして、約３mm程度に外形形状を小さくした状態で、切開創から眼内に挿入し、元の形状に戻るような素材を使用している。  
従って、手術においては前記切開創が小さくてもよいため術後において、乱視等の後遺症の発生が極めて少なくなっている。
【０００５】
前記ＩＯＬを眼内に挿入する方法としては、眼科又は外科の医師の手術により様々で、ピンセットで直接ＩＯＬをつかみ、小さくして眼内へ挿入する方法、また、挿入器具に形成した開閉機構を有する部材にＩＯＬを装填してレンズを挿入器具内で小さく丸め、眼内に挿入する方法、さらには予め前記ＩＯＬが設置されている挿入器具のＩＯＬ保持部より押出軸によりＩＯＬを挿入器具本体の先端部より押出して眼内へ挿入する方法などが挙げられる（特許文献２）。
【特許文献１】特開昭５８−１４６３４６号公報
【特許文献２】特開平０５―１０３８０８号公報
【発明の開示】
【発明が解決しようとする課題】
【０００６】
挿入器具を使って眼内にＩＯＬを挿入する上記方法は、何れも、ＩＯＬがエラスティックな材料で、先細形状の挿入筒の内壁面とＩＯＬとの間の動摩擦抵抗が高く、押出軸の先端によって挿入器具の挿入筒始端部へとＩＯＬを移動させる時に、挿入器具のレンズ設置部の内壁面とＩＯＬとの間に大きな動摩擦抵抗が生じてしまう。従って、施術者は、レンズの移動に際し力を入れないとＩＯＬが挿入器具先端部から出てきにくい状況となり、力を入れるとＩＯＬが前記先端部から急に飛び出してしまうことも予測される。また、ＩＯＬが挿入器具のレンズ設置部の内腔内壁面と擦りあうため、ＩＯＬに傷が付いてしまうなどの問題があった。
【０００７】
本発明は、前記眼内挿入用レンズの挿入器具において、眼内挿入用レンズを押し出すための押出軸の先端部近傍を、該押出軸の中間部形状より幅寸法が大きく、かつ挿入器具の内壁面の内径寸法より小さく形成すると共に、該押出軸の先端部に一部を突出させた突出部を形成することで、眼内挿入用レンズをスムーズに移動させるようにした眼内挿入用レンズの挿入器具を提供することを目的とする。
【０００８】
また、本発明は、眼内挿入用レンズの挿入器具において、眼内挿入用レンズを押し出すための押出軸の先端部近傍に、先端を突出させた少なくとも一部にレンズ光学部を内腔に浮かせた状態で保持する先端突出部を設けたレンズ送出部材を装着させることで、押出軸の進入移動時に生じるレンズ光学部への損傷を防止するようにした眼内挿入用レンズの挿入器具を提供することを目的とする。
【０００９】
さらに、本発明は前記押出軸の先端部から突出した突出部及び前記レンズ送出部材の先端突出部の少なくとも一方が、前記レンズの進入移動時における挿入器具の内壁面に近接する位置となるように配置した構成とすることで、レンズ光学部が挿入器具内壁面に接触することを極力少なくして押し出すようにすることで、動摩擦抵抗を小さくして、レンズを挿入器具の挿入筒先端からスムーズに押し出せるようにした眼内挿入用レンズの挿入器具を提供することを目的とする。
【００１０】
さらにまた、本発明は、前記眼内挿入用レンズ挿入器具の押出軸先端部に装着されるレンズ送出部材は、押出軸の先端部外形寸法よりも幅が広く、かつ前記挿入器具のレンズ保持部の内壁面の内径より幅が小さく形成されると共に、前記レンズ送出部材の先端部には少なくとも一部が突出した先端突出部を設けた構成とすることで、前記押出軸の進入移動時においてＩＯＬのレンズ光学部を内腔に浮かせた状態で保持して眼内挿入レンズのレンズ光学部を挿入器具のレンズ保持部の内壁面にほとんど接触させることなく前記眼内挿入レンズの進入移動を可能とし、レンズ光学部に与える損傷を防止すると共に、前記押出軸の先端部の軸ぶれを防止するようにした眼内挿入用レンズの挿入器具を提供することを目的とする。
【課題を解決するための手段】
【００１１】
本発明は、上記課題を解決するために次のような手段を採用するものである。即ち、請求項１の発明は、眼内挿入用レンズの挿入器具において、眼内挿入用レンズの挿入器具において、眼内挿入用レンズを押し出すための押出軸の先端部近傍を、該押出軸の中間部より幅寸法が大きく、かつ挿入器具の内壁面の内径寸法より小さく形成すると共に、該押出軸の先端部に少なくとも一部を突出させた突出部を形成したことを特徴とする。
【００１２】
請求項２の発明は、眼内挿入用レンズの挿入器具において、眼内挿入用レンズを押し出すための押出軸の先端部近傍に、先端を突出させた少なくとも一部にレンズ光学部を内腔に浮かせた状態で保持する先端突出部を設けたレンズ送出部材を装着させたことを特徴とする。
【００１３】
請求項３の発明は、請求項1又は請求項２に記載の眼内挿入用レンズの挿入器具において、前記押出軸の先端部から突出した突出部及び前記レンズ送出部材の先端突出部の少なくとも一方が、前記レンズの進入移動時における挿入器具の内壁面に近接する位置となるように配置したことを特徴とする。
【００１４】
請求項４の発明は、請求項２に記載の眼内挿入用レンズの挿入器具において、前記レンズ送出部材の先端突出部は、先端の少なくとも一部が突出した形状を有し、かつ前記眼内挿入用レンズ挿入器具の押出軸の先端部の外形形状よりも幅寸法が大きく、前記挿入器具の内壁面の内径寸法より小さくしたことを特徴とする。    
【発明の効果】
【００１５】
本発明によれば、眼内挿入用レンズを押し出すための押出軸の先端部近傍を、該押出軸の中間部より幅寸法が大きく、かつ挿入器具内壁面の径よりも幅寸法を小さく形成すると共に、該押出軸の先端部に一部を突出させた突出部を形成することで、挿入器具使用時におけるＩＯＬ等の眼内挿入用レンズの進入移動時には、前記ＩＯＬと挿入器具内壁面との間に前記突出部が挿入位置して、眼内挿入用レンズをスムーズに進入移動させることができる。
【００１６】
また、本発明においては、眼内挿入用レンズを押し出すための押出軸先端部付近に、先端を突出させた少なくとも一部にレンズ光学部を内腔に浮かせた状態で保持する先端突出部を設けたレンズ送出部材を装着させることで、押出軸の進入移動時に生じるレンズ光学部への損傷を防止することができる。
【００１７】
さらに、本発明は前記押出軸の先端部から突出した突出部及び前記レンズ送出部材の先端突出部の少なくとも一方が、前記レンズの進入移動時における挿入器具内壁面に近接する位置となるように配置した構成とすることで、ＩＯＬ保持部においてはレンズ光学部を挿入器具内腔の内壁面に接触させることなく押し出すようにすることで、動摩擦抵抗を小さくして、レンズを挿入器具の先端からスムーズに押し出すことができる。
【００１８】
さらにまた、本発明は、前記眼内挿入用レンズ挿入器具の押出軸先端部に装着されるレンズ送出部材は、押出軸の先端部外形寸法よりも幅が広く、かつ前記挿入器具内壁面の内径寸法より小さく形成されると共に、前記レンズ送出部材の先端部には一部が突出した先端突出部を設けた構成とすることで、前記押出軸の進入移動時において生じていた押出軸の先端部の揺動などによる軸ぶれを防止し、眼内挿入レンズのレンズ光学部を挿入器具内壁面にほとんど接触させることなく前記眼内挿入レンズの進入移動を可能とし、レンズ光学部に与える損傷を防止することができる。
【発明を実施するための最良の形態】
【００１９】
本発明における最良の実施形態は、ＩＯＬ等の眼内挿入用レンズを挿入器具先端から押出すための押出軸は、中実状の棒状の形態で、その先端部の外形形状を幅広にし、かつ先端には突出した突出部を設けてあり、さらに押出軸の先端部には、別部材により形成され、先端に一部を突出させた先端突出部を設けたレンズ送出部材を設け、このレンズ送出部材の先端突出部と前記押出軸の突出部の両者によって、前記ＩＯＬを挿入器具の内腔内壁面にほとんど接触にさせることなく挿入器具先端近傍まで押し出すと共に、先細に形成したテーパーの付いた挿入器具の先端部となる挿入筒には、前記押出軸の先端突出部のみが進入移動して、挿入筒内に充填された潤滑剤を介して前記ＩＯＬをスムーズに且つ傷をつけずに挿入器具先端から押出すことが可能となる。
【００２０】
また、挿入器具の押出軸の先端部の外形形状を幅広にし、先端部に突出部を設けた場合、この先端部の幅寸法は、挿入器具内壁面の内径より若干小さくすることが、押出軸の揺動などによる軸ぶれを防止できて好ましく、さらには、上記構成とすることで、前記突出部は押出軸進入移動時に、前記ＩＯＬのレンズ光学部の外周中心付近と挿入器具内壁面との間に挿入されて、前記ＩＯＬを掬い上げる様に作用し、ＩＯＬを挿入器具の先端部へと進入移動させることができる。
【００２１】
更に、挿入器具の押出軸とは別個に送出部材を押出軸の先端部に設ける場合も、前記送出部材の外形幅寸法が挿入器具内壁面の径よりも若干小さくし、且つ押出軸の先端部よりも幅広形状とし、前記押出軸と互いに嵌合するように長手方向に嵌合溝が略中央に設けられている。  
【００２２】
また、前記送出部材の先端の一部に突出部を有し、該突出部をＩＯＬと挿入器具の内腔内壁面との間に挿入させることにより、挿入器具の内腔内壁面にＩＯＬのレンズ光学部が接触して摩擦による損傷を防止することができる。
【００２３】
前記押出軸の突出部及びレンズ送出部材の材質は、特に制限はされないが、ある程度の強度と柔軟性があることがＩＯＬを押し出す際に物理的に好適で、ポリエチレン樹脂、ポリプロピレン樹脂等のオレフィン系樹脂、スチレン系樹脂、ポリカーボネート樹脂、その他熱可塑性樹脂が好適に使用可能である。
【００２４】
前記レンズ送出部材の突出部には先細の肉薄に形成したテーパーを設けることも可能で、このようなテーパーを設けることにより、よりスムーズにＩＯＬを掬い上げることができる。また前記先端突出部の厚さは特に限定されないが、ＩＯＬを掬い上げる目的としては、少なくとも先端突出部の先端側の厚みは５００μｍ以上２.０mm 以下であることが好ましい。さらに、前記突出部の幅寸法は挿入器具の内腔内壁面の径より小さく、ＩＯＬを掬い上げる強度が必要で、２.０mm 以上であることが良い。また、前記突出部の長さも、長すぎても、短すぎてもＩＯＬを支えることができないので、好ましくは、１〜５mm程度とすることが良い。また、前記先端部及びレンズ送出部材の先端突出部の厚みも特に制限はないが、挿入器具内壁面の内径よりも若干小さめにすることが好ましい。
【００２５】
更に、本発明において、挿入器具にＩＯＬを設置した状態においては、ＩＯＬがレンズ保持部のレンズ設置部の軸方向の内腔面に設けた溝に嵌合されていても良く、或いは、ＩＯＬが設置部に設置されたのみの状態でも良く、ＩＯＬを押出していく段階で、ＩＯＬのレンズ光学部が挿入器具の内腔内壁面にできるだけ接触しないようにするために、レンズ送出部材の先端突出部がＩＯＬのレンズ光学部の平面中心部付近まで伸びた位置になるように形成することが好ましい。
【００２６】
本発明においてＩＯＬの素材は通常使われているものであれば、全て利用可能で、シリコーンエラストマー、アクリル酸系樹脂、その他透明性を有するものであれば特に限定されず、例えばポリエチレン、ポリプロピレン、エチレン−酢酸ビニル共重合体等のオレフィン系樹脂、ポリカーボネート等の熱可塑性樹脂、オレフィン系熱可塑性エラストマー、スチレン系熱可塑性エラストマー、ウレタン系熱可塑性エラストマー等の熱可塑性エラストマー、或いは天然ゴムの他に、エチレン−プロピレンゴム、アクリロニトリル−ブタジエンゴム等の合成ゴムも使用可能である。
【００２７】
前記ＩＯＬはレンズ光学部と支持部とで形成される。ＩＯＬはレンズ光学部と支持部とが一体化されている1ピースタイプのものと、レンズ光学部と支持部とが別の材料で構成される３ピースタイプのもの（図２参照）があるが、その他何れの形態でも本発明において使用可能である。
【００２８】
本発明において、眼内挿入用レンズの挿入器具は、従来から使用されている挿入器具全てに対応でき、ＩＯＬが装着されたカートリッジを挿入器具に取り付けるタイプのもの、予めＩＯＬが挿入器具に取り付けられているタイプのもの、手術時にＩＯＬを挿入器具に取り付けるタイプのもの等、何れのタイプの挿入器具においても使用可能である。
【実施例１】
【００２９】
次に、本発明に係る眼内挿入用レンズの挿入器具の第１実施例について図面を参照して説明する。
図１は、予めＩＯＬが挿入器具に取り付けられているタイプの眼内挿入用レンズの挿入器具の全体平面図で、ほぼ筒状の挿入器具本体１１と、この挿入器具本体１１に嵌めた軸方向に移動する押出軸１２と、挿入器具本体１１の末端にネジ嵌合されるネジ筒１３が設けられた押出機構１４と、ＩＯＬ１０を小さく変形させるためのテーパー部１５を有するレンズ設置部１６の先端側に挿入筒１７を突出させた包持部材１８とを備えている。  
前記押出軸１２の先端部１２ａは、押出軸１２の長手方向の中間部形状より幅広に形成され、先端ほぼ中央部には突出部１２ｂが形成されている。
【００３０】
この押出軸１２の材質は特に制限はされないが、ＩＯＬ１０との接触性などを考慮して、軸心に対して横方向にある程度の可撓性を有するプラスチック素材であることが好ましい。例えば、ポリプロピレン、ポリエチレンなどのオレフィン系樹脂、ポリスチレン、ポリ塩化ビニル系樹脂など汎用プラスチックが使用可能である。
【００３１】
１９は、前記押出軸１２の先端部１２ａに装着されるレンズ送出部材で、前記押出軸１２の先端部１２ａの外形寸法よりも幅が広く、かつ前記挿入器具のレンズ設置部１７の内壁面の内径より幅寸法が小さく形成されると共に、前記レンズ送出部材１９の先端部１９ａには一部が突出した突出部２０が設けられている。また、レンズ送出部材１９の長手方向中央部には、前記押出軸１２の先端部分が弾性嵌合する嵌合溝２１が設けられている。
【００３２】
前記レンズ送出部材１９は、前記押出軸１２の進入移動時において生じる押出軸１２の先端部１２ａの軸ぶれを防止すると共に、前記押出軸１２と所定位置即ちテーパー部１５の始端部までレンズ光学部を内腔中央に掬い上げ保持した状態で連動できる形状になっている。
【００３３】
前記挿入器具本体１１の先端側と包持部材１８の末端側には、図示しないが、互いに係合する凹凸形状が夫々設けられ、前記包持部材１８が装着される。また、前記押出軸１２はネジ筒１３と回動可能に連結されるが、挿入器具本体１１に対しては回動が拘束されるように構成されている。
【００３４】
図２は、前記包持部材１８のレンズ設置部１６に進入移動した前記押出軸１２と連動可能な形状としたレンズ送出部材１９を示す拡大図で、包持部材１８のレンズ設置部１６に設置されたＩＯＬ１０に押出軸１２と連動するレンズ送出部材１９が接触し、押出軸１２を移動させてＩＯＬ１０を先細のテーパー部１５を介して挿入筒１７の先端部に押し出す前の状態を示す図である。
【００３５】
一般的には、押出軸１２を移動させる直前のこの状態において、レンズ設置部１６、テーパー部１５、および挿入筒１７の内腔を通してＩＯＬ１０を眼内に移動させるための潤滑剤として使用される物質を、挿入筒先端部１７の開口部やその他適宜配設された注入口を利用して、必要十分量注入することが望ましい。
【００３６】
図３は、前記押出軸１２と共に連動するレンズ送出部材１９の配設状態を示し、押出軸１２とレンズ送出部材１９が互いに連結された状態を示す平面図で、レンズ送出部材１９に形成した凸部２２に、押出軸１２に形成した凹部２３を弾性嵌合させることで、両者を互いに固定している。なお、前記押出軸１２とレンズ送出部材は弾性嵌合された状態で連結されるので、前記凹凸部２２，２３を省略することも可能である。
【００３７】
前記挿入工程中の連動は、レンズ送出部材１９の先端部１９ａが包持部材１８の内壁面に連設さられたテーパー部１５の始端部や突起状の形状に到達した位置でレンズ送出部材１９は停止し、押出軸１２のみがそのままＩＯＬを押し出しながらテーパー部１５を介して挿入筒１７に進入移動を継続する構成となっている。
【００３８】
尚、前記凸部２２、凹部２３は、押出軸１２とレンズ送出部材１９が連動するために十分な固定強度が得られ、且つ、レンズ送出部材１９の先端部１９ａが包持部材１８の内壁面に設けられたテーパー部１５や突起状の形状に到達した位置で容易に両者の連動が解除される様な弾性体や柔軟性を有する素材で構成することが好ましい。
【００３９】
前記押出軸１２の突出部１２ｂの先端には肉薄となる先細のテーパーが設けられていても良い。テーパーを設けることによって、ＩＯＬ１０を挿入器具内壁面と離しやすくなる。この突出部１２ｂの厚み、長さ、幅などは適宜決定されるが、ＩＯＬ１０の形状、大きさを考慮すると、厚さ０.５mm〜１.５mm程度で、長さは、３〜１０mm程度で、幅１〜３mm程度が好ましい。
【実施例２】
【００４０】
上記実施例１においては、予めＩＯＬ１０が挿入器具のレンズ設置部１６に取り付けられているタイプの眼内挿入用レンズの挿入器具について説明したが、以下に手術時にＩＯＬ１０を挿入器具のレンズ設置部に取り付けるタイプの眼内挿入用レンズの挿入器具について説明する。
【００４１】
図４は、本発明に係る第２実施例を示す眼内挿入用レンズの挿入器具を示す斜視図である。
この第２実施例にあっては、眼内挿入用レンズを保管するレンズ保持部３０と眼内挿入用レンズ１０を患者の眼内に挿入するための挿入器具本体部３１とにより構成されている。
【００４２】
前記レンズ保持部３０は、レンズ保持部トップ３２およびレンズ保持部ボトム３３からなり、両部材により眼内挿入用レンズ１０を保管する空間を形成するとともに、前記挿入器具本体部３１としての機構の一部である左右方向に貫通された貫通穴３４が形成されている。前記挿入器具本体部３１の先端部には装着部３５を介して挿入筒３６が形成され、その内腔を通して眼内挿入用レンズ１０を眼内に挿入するようになっている。
また、前記本体部３１の基端部３１ａには、眼内挿入用レンズ１０を眼内に押出すための押出軸３７の基端部が結合された押出機構３８が形成されている。
【００４３】
前記レンズ保持部３０は、前記本体部３１の装着部３５に一定間隔で対時して設けられた垂直壁面３９，４０と隙間なく装着可能な寸法に形成されており、前記レンズ保持部３０を装着部３５に装着した状態では、押出軸３７の軸方向に移動することが規制されている。さらに、前記レンズ保持部３０のレンズ保持部トップ３２は前記押出軸３７軸方向に対し略垂直方向に突設した突起部４１と、この突起部４１が嵌合するように前記装着部３５の水平面に押出軸３７の軸方向に対し略垂直方向に形成された係合穴４２とにより、両者が位置決め固定されるようになっており、その組付け後に押出軸３７を押出機構３８により先端側に移動させて、前記レンズ保持部３０内に設置したＩＯＬ１０を挿入筒部３２の先端部より眼内に押出すことが可能となる。
【００４４】
この第２実施例における押出軸３７の先端部には前述の第１実施例と同様に、先端部３７ａの外形形状を幅広にし、かつ先端には突出した突出部３７ｂを設けてあり、さらに押出軸３７の先端部３７ａには、別部材により形成され、先端に一部を突出させた先端突出部５０ａを設けたレンズ送出部材５０が配設されており、このレンズ送出部材５０の先端突出部５０ａと前記押出軸３７の突出部３７ａの両者によって、前記ＩＯＬを挿入器具内壁面にほとんど接触にさせることなく挿入器具先端近傍まで押し出すと共に、先細に形成したテーパーの付いた挿入器具の先端部となる挿入筒には、前記押出軸の先端突出部のみが進入移動して前記ＩＯＬをスムーズに且つ傷をつけずに挿入器具先端から押出すことが可能となる構成となっている。
【実施例３】
【００４５】
図６及び図７は、本発明に係る第３実施例を示す眼内挿入用レンズの挿入器具に適用される押出軸と押出軸の先端部に装着されるレンズ送出部材を示す拡大側面図及び平面図である。
【００４６】
この第３実施例においては、押出軸６０の先端部６０ａは後部側の押出軸６０の径より大きく形成されると共に、先端部６０ａの突出部６０ｂを有するもので、上記実施例と同様であるが、突出部６０ｂは端面にＩＯＬ１０のレンズ光学部の側周に係合する湾曲面６０ｃが形成されたものである。７０はレンズ送出部材で、前記押出軸６０の先端部に装着されたものである。前記レンズ送出部材７０は、上面に前記押出軸６０の先端部６０ａを嵌合する嵌合溝７１が形成されると共に、先端側の一部には先端を肉薄にした先細テーパー７２を有する先端突出部７３が形成されたものである。
【００４７】
前記レンズ送出部材７０の先端突出部７２は、挿入器具７４のレンズ設置部７５に位置するＩＯＬを掬い上げる作用を行うための形状であり、少なくとも先端突出部７２の先端側の厚みは５００μｍ以上２.０mm以下であることが好ましい。さらに、前記突出部の幅寸法は挿入器具の内壁面の内径より小さく、ＩＯＬを掬い上げる強度が必要で、２.０mm以上であることが良い。また、前記突出部の長さも、長すぎても、短すぎてもＩＯＬを支えることができないので、好ましくは、１〜５mm程度である。
【００４８】
また、この第３実施例においては、前述の実施例と同様に前記押出軸６０と共に連動するためにレンズ送出部材７０に凸部８２を、また押出軸６０の外周面に凹部８３を形成することで、両者を互いに係合固定するようになっている。
【００４９】
なお、この第３実施例にあっても、押出軸６０とレンズ送出部材７０とは、互いに弾性嵌合状態で連結されるので、前記凹凸部８３，８２を省略することも可能である。
そして、前記挿入工程中の連動は、前述の実施例同様にレンズ送出部材７０の先端部７０ａが包持部材１８の内壁面に連設されたテーパー部１５の始端や突起状の形状に到達した位置でレンズ送出部材７０は停止し、押出軸６０のみがそのままＩＯＬを押し出しながらテーパー部１５を介して挿入筒１７に進入移動を継続する構成となっている。
【００５０】
以上のように上述の実施例ではレンズ送出部材の先端部を押出軸の中心軸に対して非対称形状とする例を説明したが、これに限定することなく押出軸の中心軸に対して、不等間隔に配置しても良いことは言うまでもない。また、レンズ送出部材の先端部の両先端部が対称形状或いは非対称形状であっても機能上の問題はないことは勿論である。  
【図面の簡単な説明】
【００５１】
【図１】本発明に係る眼内挿入用レンズの挿入器具の一実施の形態を示す全体平面図である。
【図２】図１の眼内挿入用レンズと包持部材と押出軸と送出部材の拡大図であり、眼内挿入用レンズの移動工程の初期状態を示す要部平面図である。
【図３】図１の押出軸と送出部材の連動状態時の連結形態を示す要部平面図である。
【図４】本発明の眼内挿入用レンズの挿入器具に係る第２実施例を示す斜視図である。
【図５】図４の眼内挿入用レンズの挿入器具の側面図である。
【図６】本発明の眼内挿入用レンズの挿入器具に適用される押出軸とレンズ押出部材の結合状態を示す概略側面図である。
【図７】図６の眼内挿入用レンズの挿入器具に適用される押出軸とレンズ押出部材の結合状態を示す概略平面図である。
【符号の説明】
【００５２】
１０    眼内挿入用レンズ（ＩＯＬ）
１１    挿入器具本体
１２，３７，６０          押出軸
１２ａ，３７ａ，６０ａ    押出軸の先端部
１２ｂ，３７ｂ，６０ｂ    突出部
１３    ねじ筒
１４    押出機構
１５    テーパー部
１６    レンズ設置部
１７    挿入筒
１８    包持部材
１９，５０，７０    レンズ送出部材
１９ａ，５０ａ      送出部材の先端部
２０，７３          先端突出部
２１，７１      嵌合溝
２２，８２      凸部
２３，８３      凹部
【図１】
2006006817.tif 000003
【図２】
2006006817.tif 000004
【図３】
2006006817.tif 000005
【図４】
2006006817.tif 000006
【図５】
2006006817.tif 000007
【図６】
2006006817.tif 000008
【図７】
2006006817.tif 000009